(57)【要約】【課題】オフセグメント見えが無く広い広視野角度と高いコントラストとを有するＴＮ型液晶表示装置を合理的に構成して提供する。【解決手段】ノーマリーブラック方式のＴＮ型液晶表示装置１００において、液晶分子５０Ａの「ねじれ角」θを１２０°〜１４０°に設定することによりオフセグメント見えが無く広い広視野角度を得る。入射光１０の波長を４５０ｎｍ〜５００ｎｍにして液晶部分のリターデーションを０．４〜０．５に設定、入射光１０の波長を５００ｎｍ〜５５０ｎｍにしてリターデーションを０．５〜０．５８に設定、入射光１０の波長を５５０ｎｍ〜６００ｎｍにしてリターデーションを０．５８〜０．６７に設定することによりオフセグメント見えが無く高いコントラストを得る。【選択図】        図２
2004191572.tif 000002
【特許請求の範囲】
【請求項１】
入射側導光板と表示側導光板との間にネマチック液晶部分を配置するとともに、前記ネマチック液晶部分の分子配列に「ねじれ現象」を起こさせて入射光を透過させることによりノーマリーブラック方式の表示を行うようにしたＴＮ型液晶表示装置であって、
前記「ねじれ現象」による「ねじれ角」を１２０°〜１４０°に設定したことを特徴とするＴＮ型液晶表示装置。
【請求項２】
入射側導光板と表示側導光板との間にネマチック液晶部分を配置するとともに、前記ネマチック液晶部分の分子配列に「ねじれ現象」を起こさせて入射光を透過させることによりノーマリーブラック方式の表示を行うようにしたＴＮ型液晶表示装置であって、
前記入射光の波長を４５０ｎｍ〜５００ｎｍに設定するとともに、前記ネマチック液晶部分のリターデーションを０．４〜０．５に設定したことを特徴とするＴＮ型液晶表示装置。
【請求項３】
入射側導光板と表示側導光板との間にネマチック液晶部分を配置するとともに、前記ネマチック液晶部分の分子配列に「ねじれ現象」を起こさせて入射光を透過させることによりノーマリーブラック方式の表示を行うようにしたＴＮ型液晶表示装置であって、
前記入射側導光板に与える入射光の波長を５００ｎｍ〜５５０ｎｍに設定するとともに、前記ネマチック液晶部分のリターデーションを０．５〜０．５８に設定したことを特徴とするＴＮ型液晶表示装置。
【請求項４】
入射側導光板と表示側導光板との間にネマチック液晶部分を配置するとともに、前記ネマチック液晶部分の分子配列に「ねじれ現象」を起こさせて入射光を透過させることによりノーマリーブラック方式の表示を行うようにしたＴＮ型液晶表示装置であって、
前記入射側導光板に与える入射光の波長を５５０ｎｍ〜６００ｎｍに設定するとともに、前記ネマチック液晶部分のリターデーションを０．５８〜０．６７に設定したことを特徴とするＴＮ型液晶表示装置。
【請求項５】
入射側導光板と表示側導光板との間にネマチック液晶部分を配置するとともに、前記ネマチック液晶部分の分子配列に「ねじれ現象」を起こさせて入射光を透過させることによりノーマリーブラック方式の表示を行うようにしたＴＮ型液晶表示装置であって、
前記入射側導光板に与える入射光の波長を６００ｎｍ〜６５０ｎｍに設定するとともに、前記ネマチック液晶部分のリターデーションを０．６７〜０．７７に設定したことを特徴とするＴＮ型液晶表示装置。
【請求項６】
入射側導光板と表示側導光板との間にネマチック液晶部分を配置するとともに、前記ネマチック液晶部分の分子配列に「ねじれ現象」を起こさせて入射光を透過させることによりノーマリーブラック方式の表示を行うようにしたＴＮ型液晶表示装置であって、
前記入射側導光板に与える入射光の波長を６５０ｎｍ〜７００ｎｍに設定するとともに、前記ネマチック液晶部分のリターデーションを０．７７〜０．８２に設定したことを特徴とするＴＮ型液晶表示装置。
【発明の詳細な説明】
【０００１】
【発明の属する技術分野】
この発明は、液晶部分をＴＮ（Ｔｗｉｓｔ  Ｎｅｍａｔｉｃ）構成、すなわち、ネマチック液晶に電圧を与えて液晶分子の配列を「ねじれ」させる状態（この発明において、「ねじれ現象」という）を起こさせて入射光を透過させることによりノーマリーブラック方式の表示を行うようにした液晶表示装置（以下、ＴＮ型液晶表示装置という）に関するものである。
【０００２】
【従来の技術】
こうしたＴＮ型液晶表示装置１００として、例えば、図８・図９のようなＴＮ型液晶表示装置１００が周知である。なお、以下に説明する図において、同一の符号で示す部分は、いずれかの図において説明する同一の符号の部分と同一の機能をもつ部分を示すものである。また、方向に関する説明は、図示した表示面３０Ｘの配置姿勢に対するものであり、表示面３０Ｘの配置姿勢が変更されたときは、それに対応して変更されることは言うまでもない。
【０００３】
図８において、ＴＮ型液晶表示装置１００は、入射光１０、例えば、バックライト（図示せず）による入射光を入射側導光板２０に与えるとともに、入射側導光板２０に対して、所定の間隔を設けて平行に配置した表示側導光板３０と入射側導光板２０の間にネマチック液晶部分５０を配置している。
【０００４】
そして、入射側導光板２０は、偏光板２０Ａ・ガラス基板２０Ｂ・透明電極２０Ｃ・絶縁膜２０Ｄ・配向膜２０Ｅを順次に重ね合わせて構成してあり、また、表示側透光板３０は、入射側導光板２０とは逆に、表示面３０Ｘの側から偏光板３０Ａ・ガラス基板３０Ｂ・透明電極３０Ｃ・絶縁膜３０Ｄ・配向膜３０Ｅを順次に重ね合わせて構成してある。なお、透明電極２０Ｃ・３０Ｃは、例えば、ＩＴＯ（Ｉｎｄｉｕｍ  Ｔｉｎ  Ｏｘｉｄｅ）、すなわち、インジュウム錫酸化物で形成してある。
【０００５】
ここで、偏光板２０Ａは、偏光した光の振動方向（以下、偏光方向という）２０Ｈが、偏光板３０Ａの偏光方向３０Ｈと、図９のように、互いに９０°だけ異なる方向に向けて配置してあり、配向膜２０Ｅの配向方向は偏光方向２０Ｈと同方向、また、配向膜３０Ｅの配向方向は偏光方向３０Ｈと同方向にしてある。
【０００６】
したがって、透明電極２０Ｃと透明電極３０Ｃとの間に電圧Ｖを与えていないとき、すなわち、電圧Ｖ＝０のときは、図９の〔遮断状態〕のように、ネマチック液晶部分５０の各液晶分子５０Ａは縦列状態になっているため、入射側導光板２０を通ってネマチック液晶部分５０に入った入射光１０は、そののま直進するので、その偏光方向２０Ｈが偏光板３０Ａの偏光方向３０Ｈと９０°だけ異なるので、表示面３０Ｘには光が現れない完全な遮光状態になる。この完全な遮光状態を「ノーマリーブラック」と言っている。
【０００７】
また、透明電極２０Ｃと透明電極３０Ｃとの間に所定の電圧Ｖを与えているときは、図９の〔透過状態〕のように、ネマチック液晶部分５０の各液晶分子５０Ａが横列状態になるとともに、配向膜２０Ｅの箇所では偏光方向２０Ｈの方向に向き、配向膜３０Ｅの箇所では偏光方向３０Ｈの方向に向き、途中箇所がねじれた状態に液晶の分子配列が変化する現象、すなわち、「ねじれ現象」が生ずることになる。
【０００８】
この「ねじれ現象」の状態では、入射光１０の偏光方向２０Ｈが液晶分子５０Ａの配列のねじれに沿って進行するため、入射光１０が表示側導光板３０の偏光板３０Ａに到達したときには、入射光１０の偏光方向が偏光板３０Ａと偏光方向３０Ｈと同一方向になるように変化させられているので、入射光１０が偏光板３０Ａを透過して表示面３０Ｘに現れる。つまり、透過状態になる。
【０００９】
このように、電圧を与えない状態では遮光状態とし、電圧を与えることにより入射光を透過状態にする構成を「ノーマリーブラック方式」と言っている。なお、「ノーマリーブラック方式」は、透過型表示、反射型表示のいずれにも利用できることは言うまでもない。
【００１０】
上記のように、「ねじれ現象」による「ねじれ角」θを、９０°だけ、ねじれさせる構成を９０°ツイスト構成と言い、この９０°ツイスト構成ては、入射光１０として、５５０ｎｍの単一波長光を入射したときに、背景の過率が最も低くなるように、ネマチック液晶部分５０のリターデーションを設定している。ここで、リターデーションとは、ネマチック液晶部分５０の液晶材料の複屈折値（この発明では複屈折率という）△ｎと、セル厚ｄ、すなわち、ネマチック液晶部分５０の厚さｄとの積の値を言うものである。
【００１１】
【発明が解決しようとする課題】
上記の従来技術によるＴＮ型液晶表示装置１００の構成では、電圧Ｖの変化に対応する液晶部分５０の透過率変化の急峻性を向上させるためには、液晶材料の弾性定数や、配向膜２０Ｅ・３０Ｅのプレチルト（ｐｒｅ−ｔｉｌｔ）角を小さくするなどの対策が採られるが、いずれの対策にも限界がある。
【００１２】
また、デューティ（ｄｕｔｙ）値が１／８以上の時分割駆動をした場合には、表示面３０Ｘの真正面でコントラストのピーク値が得られるようにすると、最良視認方向からの「オフセグメント見え」が生じて視覚範囲を狭くしてしまうという不都合がある。
【００１３】
ここで、「オフセグメント見え」とは、非選択波形が印加されているセグメント部で、本来は表示してはならないセグメント（つまり、非表示部）が表示しているように見えててしまう現象を言うものである。
【００１４】
そして、「ねじれ角」θを１８０°・２４０°・２７０°などにしたＳＴＮ（Ｓｕｐｅｒ  Ｔｗｉｓｔ  Ｎｅｍａｔｉｃ）型の構成、つまり、１８０°ツイスト・２４０°ツイスト・２７０°ツイストなどのＳＴＮ型構成では、入射側導光板２０と表示側導光板３０との間の距離の均整度を向上させなければならないため、ガラス基板２０Ｂ・３０Ｂに研磨ガラスを使用や、組み立て作業を入念に行うための作業工程の複雑化などによって、装置を安価に提供し得ないなどの不都合がある。
【００１５】
さらに、入射光１０の光源として、５５０ｎｍ以外のピーク波長をもつバックライトを使用すると、背景の色抜けが大きくなり、コントラスト比を大きく落としてしまうなどの不都合が生ずる。
このため、こうした不都合のないＴＮ型液晶表示装置の提供が望まれているという課題がある。
【００１６】
【課題を解決するための手段】
この発明は、上記のような
入射側導光板と表示側導光板との間にネマチック液晶部分を配置するとともに、上記のネマチック液晶部分の分子配列に「ねじれ現象」を起こさせて入射光を透過させることによりノーマリーブラック方式の表示を行うようにしたＴＮ型液晶表示装置において、
【００１７】
上記の「ねじれ現象」による「ねじれ角」を１２０°〜１４０°に設定した第１の構成と、
【００１８】
上記の第１の構成と同様のＴＮ型液晶表示装置において、
上記の入射側導光板に与える入射光の波長を４５０ｎｍ〜５００ｎｍに設定するとともに、上記のネマチック液晶部分のリターデーションを０．４〜０．５に設定した第２の構成と、
【００１９】
上記の第１の構成と同様のＴＮ型液晶表示装置において、
上記の入射側導光板に与える入射光の波長を５００ｎｍ〜５５０ｎｍに設定するとともに、上記のネマチック液晶部分のリターデーションを０．５〜０．５８に設定した第３の構成と、
【００２０】
上記の第１の構成と同様のＴＮ型液晶表示装置において、
上記の入射側導光板に与える入射光の波長を５５０ｎｍ〜６００ｎｍに設定するとともに、上記のネマチック液晶部分のリターデーションを０．５８〜０．６７に設定した第４の構成と、
【００２１】
上記の第１の構成と同様のＴＮ型液晶表示装置において、
上記の入射側導光板に与える入射光の波長を６００ｎｍ〜６５０ｎｍに設定するとともに、上記のネマチック液晶部分のリターデーションを０．６７〜０．７７に設定した第５の構成と、
【００２２】
上記の第１の構成と同様のＴＮ型液晶表示装置において、
上記の入射側導光板に与える入射光の波長を６５０ｎｍ〜７００ｎｍに設定するとともに、上記のネマチック液晶部分のリターデーションを０．７７〜０．８２に設定した第６の構成とにより、
上記の課題を解決したものである。
【００２３】
【発明の実施の形態】
この発明の実施の形態として、上記の従来技術と同様のＴＮ型液晶表示装置にこの発明を適用した場合の実施例を実験構成による実測値などにもとづいて説明する。
【００２４】
なお、この発明では、電圧Ｖとして与える駆動電圧をデューティ値が１／２〜１／１６の時分割駆動にした場合に、コントラストのピークを正面にし、かつ、最良視認方向からのオフセグメント見えが発生しないような広視野角度を有するとともに、所定の単一ピーク波長をもつ入射光１０、例えば、所定の単一ピーク波長をもつバックライトを使用した高コントラストのＴＮ型液晶表示装置を提供し得るようにしているものである。
【００２５】
〔第１の条件設定〕
以下、図１・図２・図８により第１の条件設定のための実験構成による電圧−透過率などの実測値について説明する。図１の電圧−透過率曲線は、次のような条件設定にもとづく構成によるものである。
【００２６】
第１には、「ねじれ角」（以下、ツイスト角という）θを９０°にする場合には、図２の〔要部内部構成／斜視〕のように、表示側導光板３０の偏光板３０Ａの偏光方向３０Ｈと配向膜３０Ｅの配向方向３０Ｋとをほぼ平行に配置するとともに表示面３０Ｘの垂直方向３０Ｙに対して時計方向に角度θ１＝４５°だけ傾斜させて配置し、入射側導光板２０の偏光板２０Ａの偏光方向２０Ｈと配向膜２０Ｅの配向方向２０Ｋとをほぼ平行に配置するとともに垂直方向３０Ｙに対して反時計方向に角度θ２＝４５°だけ傾斜させて配置することにより、垂直方向３０Ｙに対して対称に、すなわち、θ１＝θ２の状態に、配置されたツイスト角θ＝９０°にするとともに、表示面３０Ｘの正面中央の垂直方向３０Ｙ、すなわち、時計の１２時方向を最良視認方向としてある。
【００２７】
第２には、図２の〔要部内部構成／斜視〕のように、配向膜２０Ｅ・３０Ｅのチルト角αを１°とし、リターデーションを０．４４〜０４６とするとともに、デューティ値が１／８の時分割駆動、すなわち、電圧Ｖとして与えるパルス電圧のパルス幅をパルス周期の１／８としてある。なお、チルト角αは液晶分子５０Ａの配向に予め傾斜を与えることにより、「ねじれ方向」を規定させて、「ねじれ」の起動を高速化させる役目を行わせるものである。
【００２８】
第３には、図２の〔要部構成／正面〕のように、ツイスト角θを９０°・１１０°・１３０°・１５０°とした場合、すなわち、９０°ツイスト・１１０°ツイスト・１３０°ツイスト・１５０°ツイストのそれぞれについて、電圧Ｖの値を変化させたときに、入射光１０が表示面３０Ｘまで透過する率を実測したものが図１の電圧−透過率曲線である。なお、上記の第１の構成では、後記のように、ツイスト角θ、すなわち、「ねじれ角」θを１２０°〜１４０°に設定することになるものである。
【００２９】
なお、上記の特性は、例えば、流体力学的な取り扱いを導入したシミュレーション・ソフトウエアによる計算を行った場合でも、実測値とほぼ同様な結果が得らるはずである。
【００３０】
図１によれば、周知のように、ツイスト角度θを大きくすることにより電圧に対する透過率変化の急峻性が良くなることが判る。また、ツイスト角θを大きくすると、コントラストのピークが正面に寄っていくことが判る。
【００３１】
なお、コントラストのピークが正面で、かつ、最良視認方向へ角度を変化させたときにも、ある程度のコントラスト値が得られるようにするには、図５の実測データによれば、ツイスト角度θを１１０°以上にしなければ、最良視認方向へ角度を変化させたところでのコントラストが殆ど得られないことが判った。
【００３２】
これは、ツイスト角度θを１１０°未満に設定すると、電圧に対する透過率変化の急峻性が不十分なので、コントラストのピークを正面にしようとした場合に、最良視認方向からのオフセグメント見えが発生するからである。
【００３３】
以上のように、図１の電圧−透過率曲線から判断して、この発明では、ツイスト角度θを図１の１１０°よりも大きい１２０°と、図１の１５０°よりも小さい１４０°との間の範囲に設定するとこにより、電圧Ｖに対応する透過率の急峻性を向上させるとともに、コントラストのピークを正面にした広視野角度で高コントラストの構成をもつＴＮ型液晶表示装置１００の提供を可能にしたものである。
【００３４】
つまり、この構成は、概括的には、上記のような
入射側導光板２０と表示側導光板３０との間にネマチック液晶部分５０を配置するとともに、上記のネマチック液晶部分５０の分子配列に「ねじれ現象」を起こさせて入射光１０を透過させることによりノーマリーブラック方式の表示を行うようにしたＴＮ型液晶表示装置において、
【００３５】
上記の「ねじれ現象」による「ねじれ角」θ、すなわち、ツイスト角θを１２０°〜１４０°の範囲に設定した上記の第１の構成を構成していることになるものである。
【００３６】
〔第２の条件設定〕
以下、図３・図４により第２の条件設定のための実験構成に実測値と演算式に計算について説明する。図３の透過率−セル厚依存性は、ツイスト角度θを１２０°に、ネマティク液晶部分５０の液晶材料の複屈折率△ｎを０．１６５に、また、入射光１０を４７０ｎｍの単一波長光に設定した場合において、ネマティク液晶部分５０の厚さｄ、すなわち、セル厚ｄを１μｍ〜７μｍの範囲で変化させた場合の算定値であり、図３によれば、こうした設定条件とした場合には、リターデーションの値を０．４５にしたときに、透過率が最も低くなり、高いコントラストが得られることが判る。
【００３７】
また、入射光１０の波長を種々の範囲に変化させて、図３と同様の計算を行った結果、入射光１０の波長とリターデーションとの対応関係を図４のように設定することにより、コントラストのピークを正面にした広視野角度で高コントラストの構成をもつノーマリーブラック方式の表示によるＴＮ型液晶表示装置１００の提供を可能にしたものである。
【００３８】
そして、図３の電圧−透過率曲線は、次の演算式（１）（２）によって求めたものである。
Ｉ＝ｓｉｎ２〔π（１＋μ２）１／２／２〕／（１＋μ２）    ……（１）
μ＝２ｄ△ｎ／λ                                    ……（２）
【００３９】
ここで、Ｉ：透過率
ｄ：セル厚
△ｎ：液晶材の複屈折率
λ：可視光の波長
である。
【００４０】
つまり、図４の設定条件にした構成は、概括的には、第１には、
上記の第１の構成と同様のＴＮ型液晶表示装置において、
上記の入射側導光板に与える入射光の波長を４５０ｎｍ〜５００ｎｍに設定するとともに、上記のネマチック液晶部分のリターデーションを０．４〜０．５に設定した上記の第２の構成を構成しており、
【００４１】
第２には、上記の第１の構成と同様のＴＮ型液晶表示装置において、
上記の入射側導光板に与える入射光の波長を５００ｎｍ〜５５０ｎｍに設定するとともに、上記のネマチック液晶部分のリターデーションを０．５〜０．５８に設定した上記の第３の構成を構成しており、
【００４２】
第３には、上記の第１の構成と同様のＴＮ型液晶表示装置において、
上記の入射側導光板に与える入射光の波長を５５０ｎｍ〜６００ｎｍに設定するとともに、上記のネマチック液晶部分のリターデーションを０．５８〜０．６７に設定した上記の第４の構成を構成しており、
【００４３】
第４には、上記の第１の構成と同様のＴＮ型液晶表示装置において、
上記の入射側導光板に与える入射光の波長を６００ｎｍ〜６５０ｎｍに設定するとともに、上記のネマチック液晶部分のリターデーションを０．６７〜０．７７に設定した上記の第５の構成を構成しており、
【００４４】
さらに、第５には、上記の第１の構成と同様のＴＮ型液晶表示装置において、
上記の入射側導光板に与える入射光の波長を６５０ｎｍ〜７００ｎｍに設定するとともに、上記のネマチック液晶部分のリターデーションを０．７７〜０．８２に設定した上記の第６の構成を構成していることになるものである。
【００４５】
【実施例】
以下、上記の〔第１の条件設定〕と〔第２の条件設定〕とにもとづく、３つの実施例について説明する。
【００４６】
〔第１実施例〕
以下、図２により第１実施例を説明する。この第１実施例は上記の図２により説明した構成におけるツイスト角θが１２０°〜１４０°になるようにした構成したものである。上記の構成は、「ねじれ方向」を「右ねじ方向」とした場合であって、「左ねじ方向」とした場合には、上記の構成と逆方向に角度づけることは言うまでもない。なお、後記の第２実施例の場合も同様である。
【００４７】
第２には、上記の偏光板２０Ａと偏光板３０Ａとをツイスト角θを増減させながら、透視がノーマリーブラックになる角度の位置にして、偏光板２０Ａと偏光板３０Ａとを固定するように構成した箇所である。
【００４８】
第３には、上記の固定の際に、偏光板２０Ａと偏光板３０Ａとの間の距離、すなわち、ネマティク液晶部分５０の厚さｄを、ネマティク液晶部分５０の液晶材料の複屈折率△ｎと、ネマティク液晶部分５０の厚さｄとの積、すなわち、リターデーションの値が０．４〜０．５になるように設定した箇所である。
【００４９】
第４には、入射光１０が４７０ｎｍをピーク波長とした光によって得られるようなバックライト、例えば、ＬＥＤによるバックライトを設けて構成した箇所である。異なるピーク波長のバックライトを用いるときは、適宜のフィルターなどを用いて、４７０ｎｍがピーク波長になるように構成すればよい。なお、後記の第２実施例・第３実施例の場合も同様である。
【００５０】
第５には、電圧Ｖをデューティ値が１／２〜１／１６の駆動パルス電圧を与えるとともに、コントラストのピークが正面になるように、その電圧を上げるように設定した箇所である。
【００５１】
なお、この設定は、液晶材料のしきい値電圧を下げても最良視認方向からのオフセグメント見えが殆ど発生しておらず、大きい広視野角度の特性が得られる電圧に設定するように、変更してもよい。
【００５２】
第６には、上記の各設定によって、４７０ｎｍの単一波長光の透過率が低く、高いコントラストが得られるように構成した箇所である。
【００５３】
つまり、この第１実施例の構成は、概括的には、第１には、
入射側導光板２０と表示側導光板３０との間にネマチック液晶部分５０を配置するとともに、上記のネマチック液晶部分５０の分子配列に「ねじれ現象」を起こさせて入射光１０を透過させることによりノーマリーブラック方式の表示を行うようにしたＴＮ型液晶表示装置において、
【００５４】
上記の「ねじれ現象」による「ねじれ角」θ、すなわち、ツイスト角θを１２０°〜１４０°に設定した上記の第１の構成を構成しているものであり、
【００５５】
また、第２には、上記の第１の構成と同様のＴＮ型液晶表示装置において、
上記の入射側導光板に与える入射光の波長を４５０ｎｍ〜５００ｎｍに設定するとともに、上記のネマチック液晶部分のリターデーションを０．４〜０．５に設定した上記の第２の構成を構成していることになるものである。
【００５６】
〔第１比較例〕
以下、図６により上記の第１実施例に対する第１比較例を説明する。この第１比較例は、上記の第１実施例におけるツイスト角θを、１１０°と９０°とに変更して構成した場合の電圧−透過率曲線である。
【００５７】
この図６の特性曲線から明らかなように、ツイスト角９０°の構成の場合に比べて、ツイスト角１１０°の構成の場合の方が、ツイスト角度を大きくした分だけ、電圧Ｖに対する透過率変化の急峻性が良くなっている。
【００５８】
しかし、電圧Ｖを時分割駆動にした場合には、十分な急峻性が得られなくなり、デューティ値を１／８にした時分割駆動の場合には、コントラストのピークを正面にすると、最良視認方向から「オフセグメント見え」が発生してしまうという不都合が生じた。
【００５９】
〔第２比較例〕
以下、図７により上記の第１実施例に対する第２比較例を説明する。この第２比較例は、上記の第１実施例におけるツイスト角θを、１５０°に変更して構成した場合の電圧−透過率曲線である。
【００６０】
この図７の特性曲線から明らかなように、ツイスト角１５０°の構成の場合には、電圧Ｖの変化に対する透過率の変化が、一旦、飽和状態を経た後に、透過率が、再度、上昇する特性になっているので、時分割駆動する場合の駆動電圧を制限する必要があるという不都合が生じてしまう。
【００６１】
つまり、これらの〔第１比較例〕〔第２比較例〕での特性から判断すれば、この発明の上記の第１の構成によれば、所定の単一ピーク波長をもつ入射光１０を得るようにしたバックライトを使用して、デューティ値を１／２〜１／１６とした時分割駆動を行った場合に、コントラストのピークを正面にし、かつ、最良視認方向からのオフセグメント見えが発生せずに、広い広視野角度を有するＴＮ型液晶表示装置１００を提供し得ることが明らかである。
【００６２】
〔第３比較例〕
以下、上記の第１実施例に対する第３比較例を説明する。この第３比較例は、上記の第１実施例におけるツイスト角度１２０°の構成において、波長５５０ｎｍの入射光１０に対する透過率が最も低くなるリターデーションの値０．６に設定しておき、４７０ｎｍの単一波長光を与えたところ、背景の透過率が高くなり、コントラストが著しく低下した。
【００６３】
この第３比較例から判断すれば、入射光１０の波長の値と、リターデーションの値とを、この発明の上記の第２の構成のように、図４のように対応させて構成することが、最良視認方向からのオフセグメント見えが発生せずに、その波長の入射光１０において、コントラストを最高にし得るようにしたＴＮ型液晶表示装置１００を提供し得ることが明らかである。
【００６４】
〔第２実施例〕
以下、図２により第２実施例を説明する。この第２実施例の構成が上記の第１実施例の構成と異なる箇所は次の箇所である。
第１には、入射側導光板２０と表示側導光板３０との固定の際に、ネマティク液晶部分５０の厚さｄをリターデーションの値が０．５８〜０．６７になるように変更して設定した箇所である。
【００６５】
第２には、入射光１０が５６０ｎｍをピーク波長とした光によって得られるようなバックライト、例えば、ＬＥＤによるバックライトを設けるように変更して構成した箇所である。
【００６６】
第３には、上記の各設定によって、５６０ｎｍの単一波長光の透過率が低く、高いコントラストが得られるように変更して構成した箇所である。
つまり、この第２実施例の構成は、概括的には、第１には、
上記の第１実施例と同様に上記の第１の構成を構成しているものであり、
【００６７】
また、第２には、上記の第１の構成と同様のＴＮ型液晶表示装置において、
上記の入射側導光板に与える入射光の波長を５５０ｎｍ〜６００ｎｍに設定するとともに、上記のネマチック液晶部分のリターデーションを０．５８〜０．６７に設定した上記の第４の構成を構成していることになるものである。
【００６８】
〔第３実施例〕
以下、図２により第３実施例を説明する。この第３実施例の構成が上記の第１実施例の構成と異なる箇所は次の箇所である。
【００６９】
第１には、入射側導光板２０と表示側導光板３０との固定の際に、ネマティク液晶部分５０の厚さｄをリターデーションの値が０．７７〜０．８２になるように変更して設定した箇所である。
【００７０】
第２には、入射光１０が６７０ｎｍをピーク波長とした光によって得られるようなバックライト、例えば、ＬＥＤによるバックライトを設けるように変更して構成した箇所である。
【００７１】
第３には、上記の各設定によって、６７０ｎｍの単一波長光の透過率が低く、高いコントラストが得られるように変更して構成した箇所である。
つまり、この第３実施例の構成は、概括的には、第１には、
上記の第１実施例と同様に上記の第１の構成を構成しているものであり、
【００７２】
また、第２には、上記の第１の構成と同様のＴＮ型液晶表示装置において、
上記の入射側導光板に与える入射光の波長を６５０ｎｍ〜７００ｎｍに設定するとともに、上記のネマチック液晶部分のリターデーションを０．７７〜０．８２に設定した上記の第４の構成を構成していることになるものである。
【００７３】
〔変形実施〕
この発明は、上記の第１の構成〜第６の構成のうちの任意の複数を選択して組み合わせることにより、選択した組み合わせによる効果を得るように構成して実施することを含むものである。
【００７４】
【発明の効果】
こ発明によれば、以上のように、この発明の第１の構成では、「ねじれ角度」θ、すなわち、ツイスト角度θを１２０°〜１４０°に設定しているので、所定の単一ピーク波長をもつ入射光１０を得るようにしたバックライトを使用して、デューティ値を１／２〜１／１６とした時分割駆動を行った場合に、コントラストのピークを正面にし、かつ、最良視認方向からのオフセグメント見えが発生せずに、広い広視野角度を有するＴＮ型液晶表示装置１００を提供し得る。
【００７５】
また、この発明の第２〜第６の構成では、入射光１０の波長の値と、リターデーションの値とを、図４のような特定の対応条件にして構成しているので、最良視認方向からのオフセグメント見えが発生せずに、その波長の入射光１０において、コントラストを最高にし得るようにしたＴＮ型液晶表示装置１００を提供し得るなどの特長が得られるという効果がある。
【図面の簡単な説明】
図面中、図１〜図７はこの発明の実施例などを、また、図８・図９は従来技術を示し、各図の内容は次のとおりである。
【図１】要部動作特性図
【図２】要部内部構成斜視・要部構成正面図
【図３】要部動作特性図
【図４】要部条件設定図
【図５】要部動作特性図
【図６】要部動作特性図
【図７】要部動作特性図
【図８】要部内部構成斜視図
【図９】要部内部構成斜視図
【符号の説明】
１０  入射光
２０  入射側導光板
２０Ａ  偏光板
２０Ｂ  ガラス基板
２０Ｃ  透明電極
２０Ｄ  絶縁膜
２０Ｅ  配向膜
２０Ｈ  偏光方向
２０Ｋ  配向方向
３０  表示側導光板
３０Ａ  偏光板
３０Ｂ  ガラス基板
３０Ｃ  透明電極
３０Ｄ  絶縁膜
３０Ｅ  配向膜
３０Ｈ  偏光方向
３０Ｋ  配向方向
３０Ｙ  垂直方向
５０  ネマチック液晶部分
５０Ａ  液晶分子
１００  ＴＮ型液晶表示装置
Ｖ  電圧
ｄ  セル厚
△ｎ  複屈折率
α  チルト角
θ  ねじれ角
θ１  傾斜角度
θ２  傾斜角度
λ  可視光波長
【図１】
2004191572.tif 000003
【図２】
2004191572.tif 000004
【図３】
2004191572.tif 000005
【図４】
2004191572.tif 000006
【図５】
2004191572.tif 000007
【図６】
2004191572.tif 000008
【図７】
2004191572.tif 000009
【図８】
2004191572.tif 000010
【図９】
2004191572.tif 000011